(57)【要約】【課題】複数液混合型の接着剤を塗布する場合でも詰まりを防ぎながら薬液を混合して塗布する。【解決手段】互いに近接した位置に配置された噴出口２ａ，３ａをそれぞれ有し、該各噴出口２ａ，３ａに向かって薬液を供給する複数の薬液供給通路２，３と、各噴出口２ａ，３ａから噴出された薬液を互いに混合させる混合手段４とを備える接着剤塗布装置１を提供する。本発明によれば、各薬液が噴出口２ａ，３ａから噴出された後に混合手段４によって混合されて標的に塗布される。【選択図】図１
2011194304.tif 000002
【特許請求の範囲】
【請求項１】
互いに近接した位置に配置された噴出口をそれぞれ有し、該各噴出口に向かって薬液を供給する複数の薬液供給通路と、
前記各噴出口から噴出された前記薬液を互いに混合させる混合手段とを備える接着剤塗布装置。
【請求項２】
前記混合手段が、前記噴出口から噴出された前記薬液を霧状にする霧化機構を備える請求項１に記載の接着剤塗布装置。
【請求項３】
前記霧化機構が、前記噴出口近傍にガス吹出口を有し、該ガス吹出口から圧縮ガスを吹き出させるガス供給通路を備える請求項２に記載の接着剤塗布装置。
【請求項４】
前記霧化機構が、前記噴出口を覆うメッシュ部材である請求項２に記載の接着剤塗布装置。
【請求項５】
前記混合手段が、
前記噴出口近傍に気流吹出口を有する気流通路と、
前記気流吹出口に向かって、前記気流通路内に旋回気流を発生させる旋回気流発生部とを備える請求項１に記載の接着剤塗布装置。
【請求項６】
前記混合手段が、前記薬液を前記各噴出口から順番に時分割で繰り返し噴出させる請求項１に記載の接着剤塗布装置。
【請求項７】
前記各噴出口から噴出された薬液の噴出範囲を所定の範囲内に制限する噴出範囲制限手段を備える請求項１に記載の接着剤塗布装置。
【請求項８】
前記噴出範囲制限手段が、前記噴出口を囲み前記薬液の噴出方向に筒状の気流を形成する送風通路を備える請求項７に記載の接着剤塗布装置。
【発明の詳細な説明】
【技術分野】
【０００１】
本発明は、接着剤塗布装置に関するものである。
【背景技術】
【０００２】
従来、複数種類の液を混合しながら噴出させる装置が知られている（例えば、特許文献１〜４参照。）。
【先行技術文献】
【特許文献】
【０００３】
【特許文献１】特開２０００−３３２９４号公報
【特許文献２】特開２００１−２３２２４５号公報
【特許文献３】特開２００１−２３９１９０号公報
【特許文献４】特開２００６−１１０６４６号公報
【発明の開示】
【発明が解決しようとする課題】
【０００４】
しかしながら、複数の薬液を混合することにより硬化させる複数液混合型の接着剤を、特許文献１〜４の装置を使用して塗布しようとすると、噴出口の内側で接着剤が硬化して詰まってしまい、継続して使用することができないという問題がある。
【０００５】
本発明は、上述した事情に鑑みてなされたものであって、複数液混合型の接着剤を塗布する場合でも詰まりを防ぎながら薬液を混合して塗布することができる接着剤塗布装置を提供することを目的とする。
【課題を解決するための手段】
【０００６】
上記目的を達成するため、本発明は以下の手段を提供する。
本発明は、互いに近接した位置に配置された噴出口をそれぞれ有し、該各噴出口に向かって薬液を供給する複数の薬液供給通路と、前記各噴出口から噴出された前記薬液を互いに混合させる混合手段とを備える接着剤塗布装置を提供する。
本発明によれば、接着剤の成分である複数種類の薬液を、別々の薬液供給通路に供給して噴出口から噴出させると、それらの薬液を噴出口から噴出された後に混合手段によって混合して標的に塗布することができるとともに、薬液供給経路内で薬液が互いに混合されて硬化してしまうことによる詰まりを防ぐことができる。
【０００７】
上記発明においては、前記混合手段が、前記噴出口から噴出された前記薬液を霧状にする霧化機構を備えていてもよい。
このようにすることで、各薬剤を簡便に混合させることができる。
また、上記発明においては、前記霧化機構が、前記噴出口近傍にガス吹出口を有し、該ガス吹出口から圧縮ガスを吹き出させるガス供給通路を備えていてもよく、前記噴出口を覆うメッシュ部材であってもよい。
このようにすることで、簡便な構成で薬液を霧状にすることができる。
【０００８】
また、上記発明においては、前記混合手段が、前記噴出口近傍に気流吹出口を有する気流通路と、前記気流吹出口に向かって、前記気流通路内に旋回気流を発生させる旋回気流発生部とを備えていてもよい。
このようにすることで、各噴出口から噴出された薬液が旋回気流に巻き込まれながら進むことにより、簡便に薬液を混合することができる。
【０００９】
また、上記発明においては、前記混合手段が、前記薬液を前記各噴出口から順番に時分割で繰り返し噴出させてもよい。
このようにすることで、標的上で各薬液が順番に繰り返し積層されることにより、薬液を簡便に混合することができる。
【００１０】
また、上記発明においては、前記各噴出口から噴出された薬液の噴出範囲を所定の範囲内に制限する噴出範囲制限手段を備えていてもよい。
このようにすることで、異なる位置の噴出口から噴出された各薬液を所望の範囲内に塗布することができる。
【００１１】
また、上記発明においては、前記噴出範囲制限手段が、前記噴出口を囲み前記薬液の噴出方向に筒状の気流を形成する送風通路を備えていてもよい。
このようにすることで、噴出口から噴出された薬液を囲む気流の幕（エアカーテン）が形成され、薬液の噴出範囲をエアカーテン内に制限することができる。
【発明の効果】
【００１２】
本発明によれば、複数液混合型の接着剤を塗布する場合でも詰まりを防ぎながら薬液を混合して塗布することができるという効果を奏する。
【図面の簡単な説明】
【００１３】
【図１】本発明の一実施形態に係る接着剤塗布装置の構成図である。
【図２】図１の接着剤塗布装置の使用時を示す図である。
【図３】図１の接着剤塗布装置の変形例であり、メッシュにより薬液を霧化する構成を示す図である。
【図４】図１の接着剤塗布装置のもう１つの変形例であり、旋回気流により薬液を霧化する構成を示す図である。
【図５】図１の接着剤塗布装置のもう１つの変形例であり、カム機構によりシリンジから時分割で交互に薬液を噴出させる構成を示す図である。
【図６】図１の接着剤塗布装置のもう１つの変形例であり、シャッタによりシリンジから時分割で交互に薬液を噴出させる構成を示す図である。
【図７】図６のシャッタの変形例を示す図である。
【図８】図１の接着剤塗布装置のもう１つの変形例であり、押圧部および制御部によりシリンジから時分割で交互に薬液を噴出させる構成を示す図である。
【発明を実施するための形態】
【００１４】
以下に、本発明の一実施形態に係る接着剤塗布装置１について図面を参照して説明する。
本実施形態に係る接着剤塗布装置１は、医療用の２液混合型の接着剤を切開部位などの患部Ａに塗布するために使用されるものであり、図１に示されるように、噴出口２ａ，３ａが互いに隣接して配置された、Ａ液（薬液）ａが供給されるＡ液供給通路（薬液供給通路）およびＢ液（薬液）ｂが供給されるＢ液供給通路（薬液供給通路）３と、これらの供給通路２，３の噴出口２ａ，３ａの間から圧縮ガスを吹き出させるガス供給通路４と、噴出口２ａ，２ｂから噴出されたＡ液ａおよびＢ液ｂを囲むように筒状のエアカーテン５ａを発生させる送風通路５とを備えている。
【００１５】
接着剤は、一般に医療用として使用されるものであれば特に制限はない。Ａ液ａおよびＢ液ｂの組み合わせとしては、例えば、フィブリノーゲン含有液とトロンビン含有液とを使用してもよいし、アルブミンやゼラチンなどの生体内に豊富に存在するタンパク質含有液とグルアタールアルデヒドやホルムアルデヒドなどのタンパク質の架橋剤含有液とを使用してもよい。
【００１６】
Ａ液供給通路２およびＢ液供給通路３はそれぞれ、Ａ液ａを貯留するＡ液貯留室２ｂ内またはＢ液ｂを貯留するＢ液貯留室２ｂ内に連通し、操作者による操作により図示しない機構を介して同時に、Ａ液ａおよびＢ液ｂを噴出口２ａ，３ａから噴出させるようになっている。
【００１７】
ガス供給通路４は、ガスを高圧状態で収容する図示しない高圧ガス室内に接続され、噴出口２ａ，３ａからＡ液ａおよびＢ液ｂが噴出されると同時に、噴出口２ａ，３ａの間に開口した吹出口（ガス吹出口）４ａから圧縮ガスを吹き出させるようになっている。これにより各噴出口２ａ，３ａから噴出されたＡ液ａおよびＢ液ｂが霧化されるようになっている。
【００１８】
送風通路５は、噴出口２ａ，３ａを囲む環状の送出口５ｂを有し、図示しない送風機から送風されてきたガスを送出口５ｂから送出させる。これにより、Ａ液ａおよびＢ液ｂの噴出方向に、噴出されたＡ液ａおよびＢ液ｂを囲む筒状のエアカーテン（筒状の気流）５ａが形成され、Ａ液ａおよびＢ液ｂがエアカーテン５ａの位置を超えて飛散することが防止されるようになっている。
【００１９】
このように構成された接着剤塗布装置１によれば、図２に示されるように、Ａ液ａおよびＢ液ｂを各噴出口２ａ，３ａから噴出させることにより、霧状のＡ液ａおよびＢ液ｂを患部Ａに塗布することができる。この場合に、Ａ液ａとＢ液ｂとが噴出口２ａ，３ａより内側で混合されることがないので、使用の途中で各供給通路２，３内が詰ってしまうことを防止して継続して使用することができるという利点がある。
【００２０】
また、このようにして異なる位置からＡ液ａおよびＢ液ｂを噴出させても、Ａ液ａおよびＢ液ｂの飛散領域をエアカーテン５ａ内に制限して、Ａ液ａおよびＢ液ｂを略共通の領域に塗布することができるという利点がある。また、別々の噴出口２ａ，３ａから各液を噴出させても、霧化して粒子径を小さくすることにより互いに均一に混ざり合った状態で患部Ａに塗布して、十分に効率良く硬化させることができるという利点がある。
【００２１】
なお、上記実施形態においては、Ａ液ａおよびＢ液ｂを圧縮ガスにより霧化することとしたが、これに代えて、図３に示されるように、各噴出口２ａ，３ａを覆うメッシュ（メッシュ部材）６ａ，６ｂを設け、Ａ液ａおよびＢ液ｂをメッシュ６ａ，６ｂに通過させることにより霧化してもよい。このようにすることで、構成をより簡略にすることができる。
この場合に、孔径が同一のメッシュ６ａ，６ｂを用いてもよいが、孔径の異なるメッシュ６ａ，６ｂを用いることにより、霧化されたＡ液ａのミスト径とＢ液ｂのミスト径とを異なせてＡ液ａとＢ液ｂとをより効率的に混合させることができる。
【００２２】
また、上記実施形態においては、Ａ液ａおよびＢ液ｂを混合するためにこれらの薬液を霧化することとしたが、これに代えて、旋回気流を発生させることとしてもよい。例えば、図４に示されるように、ガス供給通路（気流通路）４内に螺旋羽根７を設けて螺旋状の流路を形成することにより旋回気流を発生させて吹出口４ａから吹き出させることができる。
【００２３】
このようにすることで、吹出口（気流吹出口）４ａから噴き出された旋回気流に、その側方で噴出されたＡ液ａおよびＢ液ｂが巻き込まれながら患部Ａに向かうことにより、Ａ液ａとＢ液ｂとを混合することができる。
【００２４】
また、上記実施形態においては、ガス供給通路４に代えて、Ａ液ａとＢ液ｂとを時分割で繰り返し噴出させる時分割噴出機構（混合手段）を備えていてもよい。
時分割噴出機構の例を図５〜図８に示す。図５〜図８に示す例では、上述したＡ液ａ供給通路２およびＢ液供給通路３に代えて、Ａ液シリンジ（薬液供給通路）８およびＢ液シリンジ（薬液供給通路）９を備えている。
【００２５】
図５は、時分割噴出機構として、各シリンジ８，９のプランジャ８ａ，９ａが交互に上下に移動するように該プランジャ８ａ，９ａを往復運動させるカム機構（混合手段）１０を備えた構成を示している。これにより、一方のシリンジ８，９からＡ液ａまたはＢ液ｂが交互に噴出される。
【００２６】
図６は、時分割噴出機構として、噴出口８ｂ，９ｂを交互に開放させるシャッタ（混合手段）１１を備えた構成を示している。シャッタ１１は、図６のように、各シリンジ８，９の噴出口８ａ，９ａの間で往復直線運動することにより、一方の噴出口８ｂ，９ｂのみを交互に開放させてもよい。
【００２７】
また、シャッタ１１は、図７に示されるように、各シリンジ８，９間の略中心軸線回りに回転する円板状であり、噴出口８ａ，９ａに一致する位置に貫通した窓１１ａが設けられていてもよい。このようにしても、シャッタ１１を回転させることにより、窓１１ａが噴出口８ａ，９ａの位置に一致したときに一方の噴出口８ｂ，９ｂからＡ液ａまたはＢ液ｂを噴出させることができる。
【００２８】
なお、シャッタ１１を設ける場合には、シャッタ１１にＡ液ａおよびＢ液ｂに付着し、これらがシャッタ１１の表面で混合して硬化する可能性がある。したがって、シャッタ１１が各噴出口８ｂ，９ｂ間を移動する途中にシャッタ１１の表面に接触する位置にスポンジなどの拭取部材１２を配置し、シャッタ１１に付着したＡ液ａおよびＢ液ｂが順次拭き取られるようにすることが好ましい。
【００２９】
図８は、プランジャ８ａ，９ａを押圧するアクチュエータなどの押圧部（混合手段）１３と、該押圧部１３によりプランジャ８ａ，９ａが交互に押圧されるように押圧部１３によるプランジャ８ａ，８ｂの押圧量を制御する制御部（混合手段）１４とを備えた構成を示している。
【００３０】
このように、Ａ液ａとＢ液ｂとを時分割で交互に繰り返し噴出させることで、患部Ａ上においてＡ液ａとＢ液ｂとが交互に積層され、その積層方向にＡ液ａとＢ液ｂとが接触することによりこれらの液ａ，ｂを均一に混合することができる。なお、この場合に、Ａ液ａとＢ液ｂとしてタンパク質含有液と架橋剤含有液とを用いる場合には、タンパク質含有液が先に噴出されるようにすることが好ましい。このようにすることで、架橋剤をより効果的にタンパク質に作用させることができる。
【符号の説明】
【００３１】
１  接着剤塗布装置
２  Ａ液供給通路（薬液供給通路）
３  Ｂ液供給通路（薬液供給通路）
２ａ，３ａ  噴出口
４  ガス供給通路（混合手段、気流通路）
４ａ  吹出口（ガス吹出口、気流吹出口）
５  送風通路
５ａ  送出口
５ｂ  エアカーテン
６ａ，６ｂ  メッシュ（混合手段、霧化機構、メッシュ部材）
７  螺旋羽根（混合手段、旋回気流発生部）
８  Ａ液シリンジ（薬液供給通路）
９  Ｂ液シリンジ（薬液供給通路）
８ａ，９ａ  プランジャ
８ｂ，９ｂ  噴出口
１０  カム機構（混合手段）
１１  シャッタ（混合手段）
１２  拭取部材
１３  押圧部（混合手段）
１４  制御部（混合手段）
Ａ  患部
ａ  Ａ液（薬液）
ｂ  Ｂ液（薬液）
【図１】
2011194304.tif 000003
【図２】
2011194304.tif 000004
【図３】
2011194304.tif 000005
【図４】
2011194304.tif 000006
【図５】
2011194304.tif 000007
【図６】
2011194304.tif 000008
【図７】
2011194304.tif 000009
【図８】
2011194304.tif 000010